(57)【要約】【課題】回転体が個々のパチンコ球を放出する位置を一定化させることにより、計数センサの検出タイミングが一定になり、回転体の停止位置が安定化し、球払出装置として安定した性能を発揮できる球払出装置を提供すること。【解決手段】パチンコ球を連続して供給可能な供給通路７２と、停止時に、供給通路７２内にパチンコ球を待機させ、回転時に、払出通路壁８０との間に払出通路７７を生成し、供給通路７２内の先頭のパチンコ球を払出通路７７内へ誘導した後、下流の排出通路９２へ放出し、放出されたパチンコ球が計数センサ９３により検出されたとき停止する回転体７９と、回転体７９により放出されたパチンコ球を計数する計数センサ９３と、放出されたパチンコ球を排出する排出通路９２とを備え、回転体７９がパチンコ球を放出する位置を境に、払出通路７７の拡大割合を増大させるよう回転体７９の形状を構成する。【選択図】図６
2004081340.tif 000002
【特許請求の範囲】
【請求項１】
パチンコ球を連続して供給可能な供給通路と、
停止時に、前記供給通路内にパチンコ球を待機させ、回転時に、払出通路壁との間に払出通路を生成し、前記供給通路内の先頭のパチンコ球を該払出通路内へ誘導した後、下流の排出通路へ放出し、該放出されたパチンコ球が計数センサにより検出されたとき停止する回転体と、
該回転体により放出されたパチンコ球を計数する計数センサと、
前記放出されたパチンコ球を排出する排出通路と
を備え、前記回転体がパチンコ球を放出する位置を境に前記払出通路が拡大するパチンコ遊技機の球払出装置において、
前記払出通路の拡大割合を増大させるよう前記回転体の形状を構成したことを特徴とするパチンコ遊技機の球払出装置。
【請求項２】
前記回転体は、凸曲面と、該凸曲面の後端から延び、パチンコ球と略同一半径の凹円弧面からなる凹曲面とを有しており、回転中心から前記凸曲面の後端までの距離を増大したことを特徴とする請求項１記載のパチンコ遊技機の球払出装置。
【請求項３】
パチンコ球を連続して供給可能な供給通路と、
停止時に、前記供給通路内にパチンコ球を待機させ、回転時に、払出通路壁との間に払出通路を生成し、前記供給通路内の先頭のパチンコ球を該払出通路内へ誘導した後、下流の排出通路へ放出し、該放出されたパチンコ球が計数センサにより検出されたとき停止する回転体と、
該回転体により放出されたパチンコ球を計数する計数センサと、
前記放出されたパチンコ球を排出する排出通路と
を備え、前記回転体がパチンコ球を放出する位置を境に前記払出通路が拡大するパチンコ遊技機の球払出装置において、
前記払出通路を段差的に拡大させるよう前記払出通路壁の形状を構成したことを特徴とするパチンコ遊技機の球払出装置。
【発明の詳細な説明】
【０００１】
【発明の属する技術分野】
本発明は、パチンコ遊技機の球払出装置、特に、回転体がパチンコ球を放出する位置の一定化を図ることで、回転体の停止位置を一定化させ、球払出装置の性能の安定化を図るためのパチンコ遊技機の球払出装置に関する。
【０００２】
【従来の技術】
パチンコ遊技機の球払出装置は、主に、遊技中に遊技盤の入賞口にパチンコ球が入球したとき、賞球として所定個数のパチンコ球を受皿に払い出す動作を行い、また、最近では、プリペイドカード使用機において、遊技前に、遊技者が指定した個数のパチンコ球を受皿に払い出す動作を行なう。
【０００３】
従来の球払出装置は、例えば特公平７−７９８６６号公報に記載されるように、パチンコ球を連続して供給可能な供給通路と、停止時に、供給通路内にパチンコ球を待機させ、回転時に、払出通路壁との間に払出通路を生成し、供給通路内の先頭のパチンコ球を払出通路内へ誘導した後、下流の排出通路へ放出し、放出されたパチンコ球が計数センサにより検出されたとき停止する回転体と、回転体により放出されたパチンコ球を計数する計数センサと、放出されたパチンコ球を排出する排出通路とを備える。
【０００４】
【発明が解決しようとする課題】
しかし、従来の球払出装置は、図１１に（ａ）→（ｂ）→（ｃ）→（ｄ）→（ｅ）→（ｆ）の遷移図として示すように、回転体７９の回転に伴い生成される払出通路７７が回転体７９の回転に従い連続的に徐々に拡大する構成を採用しているため、回転体７９が予め設定したパチンコ球放出位置まで回転してきたタイミング（図１１図示（ｅ）の状態）で、回転体７９がパチンコ球を確実に放出することが困難であり、このため、計数センサ９３が放出された個々のパチンコ球を検出するタイミングにばらつきが生じ、その結果、回転体７９の停止位置が不安定となり、球払出装置として安定した性能を発揮できないという問題があった。なお、図１１において、符号７２は供給通路、９２は排出通路、８０は払出通路壁を表している。
【０００５】
本発明は、上記のような従来技術の問題点を解決し、回転体が個々のパチンコ球を放出する位置を一定化させることにより、計数センサの検出タイミングが一定になり、回転体の停止位置が安定化し、球払出装置として安定した性能を発揮できるパチンコ遊技機の球払出装置を提供することを目的とする。
【０００６】
【課題を解決するための手段】
請求項１に係るパチンコ遊技機の球払出装置は、パチンコ球を連続して供給可能な供給通路と、停止時に、前記供給通路内にパチンコ球を待機させ、回転時に、払出通路壁との間に払出通路を生成し、前記供給通路内の先頭のパチンコ球を該払出通路内へ誘導した後、下流の排出通路へ放出し、該放出されたパチンコ球が計数センサにより検出されたとき停止する回転体と、該回転体により放出されたパチンコ球を計数する計数センサと、前記放出されたパチンコ球を排出する排出通路とを備え、前記回転体がパチンコ球を放出する位置を境に前記払出通路が拡大するパチンコ遊技機の球払出装置において、前記払出通路の拡大割合を増大させるよう前記回転体の形状を構成したことを特徴とする。
【０００７】
請求項１に係るパチンコ遊技機の球払出装置によると、回転体がパチンコ球を放出する位置まで回転してきたときから、払出通路の拡大割合、つまり、回転体の回転に伴い拡大してゆく払出通路の拡大割合が従来と比べ増大しているため、回転体がパチンコ球を放出する位置まで回転してきたときを境にしてパチンコ球は瞬時に放出され易くなり、略そのタイミングで個々のパチンコ球を確実に放出することが可能になる。したがって、計数センサが放出された個々のパチンコ球を検出するタイミングは一定になり、その結果、回転体の停止位置が安定し、球払出装置として安定した性能を発揮できるようになる。
【０００８】
請求項２に係るパチンコ遊技機の球払出装置は、請求項１において、前記回転体は、凸曲面と、該凸曲面の後端から延び、パチンコ球と略同一半径の凹円弧面からなる凹曲面とを有しており、回転中心から前記凸曲面の後端までの距離を増大したことを特徴とする。
【０００９】
請求項２に係るパチンコ遊技機の球払出装置によると、回転中心から凸曲面の後端までの距離が従来と比べ増大していることから、回転体がパチンコ球を放出する位置まで回転してきたときから、回転体の同一回転角度に対する凸曲面の後端と払出通路壁との間の距離つまり払出通路幅の増大割合が従来と比べ大きくなり、略そのタイミングで個々のパチンコ球を確実に放出することが可能になる。したがって、計数センサが放出された個々のパチンコ球を検出するタイミングは一定になり、その結果、回転体の停止位置が安定し、球払出装置として安定した性能を発揮できるようになる。
【００１０】
請求項３に係るパチンコ遊技機の球払出装置は、パチンコ球を連続して供給可能な供給通路と、停止時に、前記供給通路内にパチンコ球を待機させ、回転時に、払出通路壁との間に払出通路を生成し、前記供給通路内の先頭のパチンコ球を該払出通路内へ誘導した後、下流の排出通路へ放出し、該放出されたパチンコ球が計数センサにより検出されたとき停止する回転体と、該回転体により放出されたパチンコ球を計数する計数センサと、前記放出されたパチンコ球を排出する排出通路とを備え、前記回転体がパチンコ球を放出する位置を境に前記払出通路が拡大するパチンコ遊技機の球払出装置において、前記払出通路を段差的に拡大させるよう前記払出通路壁の形状を構成したことを特徴とする。
【００１１】
請求項３に係るパチンコ遊技機の球払出装置によると、回転体がパチンコ球を放出する位置まで回転してきたとき、払出通路壁の形状に基づいて払出通路は段差的に拡大するようになるため、回転体は略そのタイミングで個々のパチンコ球を確実に放出することが可能になる。したがって、計数センサが放出された個々のパチンコ球を検出するタイミングは一定になり、その結果、回転体の停止位置が安定し、球払出装置として安定した性能を発揮できるようになる。
【００１２】
【発明の実施の形態】
以下、本発明の実施形態を図面に基づいて説明する。
【００１３】
図１及び図２は、全体として１つの分解斜視図を構成し、本発明の一実施形態に係るパチンコ遊技機の機構板及び機構板に組み付けられるケース類の分解斜視図である。図３は、機構板にケース類及び基板が組み付けられた状態の裏面図を示す。
【００１４】
図１〜図３において、１は、図示しない前面枠に対し開閉可能に組み付けられる機構板を表しており、機構板１は、ＡＢＳなどプラスチック製で一体成形され、中央部に、図示しない遊技盤の裏面側の組付部品を収容する窓２が形成され、全体として枠形状をしている。機構板１の右側部の上側蝶番取付部３には上側蝶番４がねじ止めされ、下側蝶番取付部５には下側蝶番６がねじ止めされ、機構板１は、上側蝶番４及び下側蝶番６により、図示しない前面枠に対して開閉可能とされる。
【００１５】
機構板１の取付面１００のタンク取付部Ａには、島設備からのパチンコ球の供給を上方から受けるタンク７がねじ止めされる。
【００１６】
機構板１の取付面１００においてタンク７の下流側に位置するタンクレール取付部Ｂには、タンク７から流下してきたパチンコ球を前後方向２列に整流するための整流通路８を有するタンクレール９がねじ止めされる。タンクレール９は上向き開口部１０を有しており、この上向き開口部１０は、上流側蓋部材１１と下流側蓋部材１２とで閉塞可能とされる。
【００１７】
タンク７、タンクレール９、上流側蓋部材１１及び下流側蓋部材１２は、いずれも導電性を有するプラスチック製例えばカーボン繊維入りＡＢＳ製であり、タンク７はアース板金１３を介してアース可能とされ、タンクレール９はアース板金１３又はアース板金１４を介してアース可能とされる。
【００１８】
機構板１の取付面１００においてタンクレール９の下流に位置する球払出装置取付部Ｃには、タンクレール９から流下してきたパチンコ球をカウントしながら払出しを行なうとともに上流側のパチンコ球を全て排出するための球抜きを行なう球払出装置１５のカウンタケース１６（図３）が嵌合手段によって組み付けられる。
【００１９】
機構板１の取付面１００において球払出装置１５の下流側に位置する受皿誘導樋取付部Ｄには、球払出し時に球払出装置１５から流下してくるパチンコ球を受皿（図示せず）へ誘導するとともに球抜き時に球払出装置１５から流下してくるパチンコ球を排出口１９ａへ誘導する受皿誘導樋１９がねじ止めされる。受皿誘導樋１９は、前後方向に２分割された前側受皿誘導樋２０と後側受皿誘導樋２１とから構成される。受皿誘導樋１９は、導電性を有するプラスチック製例えばカーボン繊維入りＡＢＳ製であり、下側蝶番６を介してアース可能とされる。
【００２０】
受皿誘導樋１９の裏面１９ｂには、球払出装置１５の球払出を制御する払出制御基板２２を収容する払出制御ボックス２３が組み付けられる。払出制御ボックス２３は、前後方向に２分割された前側払出制御ボックス２４と後側払出制御ボックス２５とをねじ結合により一体化して構成される。なお、符号２６は、払出制御基板２２のリセットピン、２７は、払出制御ボックス２３にねじ止めされるプリペイドカードユニットへの中継基板ケースを表している。
【００２１】
機構板１の取付面１００における上端コーナーの電源中継基板取付部Ｅには、電源中継基板２８を収容する電源中継基板ケース２９が組み付けられる。電源中継基板ケース２９は、前後方向に２分割された前側電源中継基板ケース３０と後側電源中継基板ケース３１とをねじ結合により一体化して構成される。
【００２２】
機構板１の取付面１００における下端の電源基板取付部Ｆには、電源基板３２を収容する電源基板ケース３３が組み付けられる。電源基板ケース３３は、前後方向に２分割された前側電源基板ケース３４と後側電源基板ケース３５とを嵌合手段により一体化して構成される。
【００２３】
機構板１の取付面１００における下部の基板取付部Ｇには、基板ユニットベース３６が組み付けられる。基板ユニットベース３６には、基板ユニットカバー３７及び配線カバー３８がねじ止めされ、基板ユニットカバー３７に、主基板（図示せず）を収容する主基板ケース４０が組み付けられる。主基板ケース４０は、前後方向に２分割された前側主基板ケース４１と後側主基板ケース４２とを一体化して構成される。
【００２４】
機構板１の取付面１００の左側部には、上側軸受部４３と下側軸受部４４とが形成されており、役物カバー４５の左側部に形成された上側軸部及び下側軸部（図２には現れていない。）がそれぞれ上側軸受部４３及び下側軸受部４４に回動自在に保持され、役物カバー４５は、機構板１の窓２を開閉する。役物カバー４５は、役物カバー４５の右側部に形成された弾性係止爪４５ａが機構板１の右側部に形成された係止孔４６に係止されることによって閉状態に保持される。
【００２５】
機構板１の取付面１００とは反対側の面における下部の入賞払出通路取付部Ｈには、入賞払出通路ケース４７が組み付けられる。入賞払出通路ケース４７は、前後方向に２分割された入賞払出通路ケース本体４８と入賞払出通路ケース板４９とを一体化して構成される。入賞払出通路ケース４８は、導電性を有するプラスチック製例えばカーボン繊維入りＡＢＳ製である。
【００２６】
機構板１の下部には、受皿に通じる貫通孔５０が形成されており、この貫通孔５０に球出口防犯板金５１が挿通される。なお、符号５２及び５３は、それぞれ配線押さえ部材を表している。
【００２７】
図４は、球払出装置１５のカウンタケース１６の内部構成を説明するための全体斜視図及び内蔵部品の分解斜視図、図５は、カウンタケース１６の分解斜視図を示す。
【００２８】
図４及び図５において、カウンタケース１６は、左右方向に３分割された左側カウンタケース本体１７と右側カウンタケース本体１８とカウンタケース中板６１とから構成される。
【００２９】
左側カウンタケース本体１７、右側カウンタケース本体１８及びカウンタケース中板６１は、それぞれ導電性を有するプラスチック製例えばカーボン繊維入りＡＢＳ製であり、カウンタケース１６はアース板金１４（図１）を介してアース可能とされる。
【００３０】
カウンタケース１６の上端部には、上流のタンクレール９に連通する前後２つの球流入口７１が形成され、各球流入口７１から下流側に、パチンコ球を連続して供給する蛇行した供給通路７２が形成される。各供給通路７２は、左側カウンタケース本体１７の内部、カウンタケース中板６１の両側面及び右側カウンタケース本体１８の内部にそれぞれ形成された通路壁７３が組み合わされることによって形成される。
【００３１】
供給通路７２の上流部には、供給通路７２内に、払い出すべきパチンコ球が有ることを確認するための払出球確認スイッチ７４が共通に配設されると共に、払出球確認スイッチ７４を動作させるための払出球確認スイッチレバー７５が各供給通路７２に対応して配設される。各払出球確認スイッチレバー７５は、払出球確認スイッチ用シャフト７６によって揺動自在に保持され、供給通路７２内にパチンコ球が有るときにはパチンコ球に押されて払出球確認スイッチ７４をオン状態に保ち、供給通路７２内にパチンコ球が無くなると払出確認スイッチ７４をオフ動作させる。
【００３２】
各供給通路７２の下流は、払出通路７７と球抜き通路７８に分岐される。払出通路７７は、カウンタケース中板６１の貫通孔６１ａ内に挿通される払出ロータ（回転体）７９の回転に伴い、払出ロータ７９と払出通路壁８０との間に生成される通路である。払出ロータ７９は、２つの羽根８１を備えている。払出ロータ７９は、払出ロータ軸８２に回転自在に保持される。払出ロータ軸８２の左端部は、左側カウンタケース本体１７によって軸支され、右端部は、右側カウンタケース本体１８の駆動部収容ケース８４に係止されるモータ中板９０によって軸支される。払出ロータ７９の左側には払出ロータ軸受８３が、右側には払出ロータギヤ８５が一体的に固定される。払出ロータギヤ８５は、払出モータ８６の出力ギヤと噛合する。払出ロータギヤ８５には、払出ロータ７９の原点位置を検出するために、原点スイッチ基板８７（図４）の光検知部８８を遮光する遮光板８９が配設される。払出モータ８６は、駆動部収容ケース８４に係止されるモータ中板９０に固定され、モータカバー９１内に収容される。払出ロータ７９は、停止時、供給通路７２内にパチンコ球を待機させ、回転時に、払出通路壁８０との間に払出通路７７を生成し、供給通路７２内の先頭のパチンコ球を払出通路７７内へ誘導した後、下流の排出通路９２へ放出する。排出通路９２の上端には、放出されたパチンコ球を計数する払出球計数センサ（計数センサ）９３が配設され、放出された個々のパチンコ球が計数センサ９３により検出されたとき、払出モータ８６が停止して払出ロータ７９は停止する。球抜き通路７８は、カウンタケース１６、タンクレール９及びタンク７に貯留しているパチンコ球を島設備へ排出するための通路である。球抜き通路７８には、球抜きレバー９４が球抜き用シャフト９５によって揺動自在に保持される。球抜きレバー９４は、手動操作される球抜きレバーストッパー９６の位置に応じて、球抜き通路７８を遮断するか球抜き通路７８を開放する。図５中の他の符号９７は、ボールガイドを表している。
【００３３】
図６は、第１実施形態に係る払出ロータ７９の一方の羽根８１周辺の構成図、図７は、払出ロータ７９の動作を説明するための遷移図を示す。
【００３４】
図６及び図７において、払出通路壁８０は、払出ロータ７９の回転中心を中心とする円弧面を形成している。
【００３５】
羽根８１は、回転方向に２つの球作用面１００を有している。各球作用面１００は、凸曲面１０１と凹曲面１０２とから構成される。凸曲面１０１は、羽根８１の回転方向ａにおける先端１０１ａから後端１０１ｂにかけて回転中心Ｏからの距離が連続的に徐々に減少してゆき、後端１０１ｂにおける回転中心Ｏからの距離は、払出通路壁８０の半径からパチンコ球の直径を減算した値よりも僅かに大きくなるよう予め設定されている。凹曲面１０２は、凸曲面１０１の後端１０１ｂから延び、パチンコ球と略同一半径の凹円弧面を構成している。
【００３６】
そして、図７（ａ）に示すように、払出ロータ７９が停止状態のときは、凸曲面１０１の上に供給通路７２内の先頭のパチンコ球が乗っている状態、つまり、供給通路７２内のパチンコ球は待機状態となる。払出ロータ７９が回転を開始すると、図７（ｂ）に示すように、羽根８１の回転に伴い先頭のパチンコ球が凸曲面１０１に乗った状態で下降してゆき、パチンコ球が通過不能であるが通路幅が徐々に増大してゆく払出通路７７内に誘導されてゆく。そして、図７（ｃ）に示すように、パチンコ球が凹曲面１０２内に進入することによってパチンコ球が通過可能な払出通路７７が形成されるようになると、その後は、図７（ｄ）に示すように、パチンコ球は凸曲面１０１の後端１０１ｂによって下方から支持されながら払出通路７７内を下方へ案内されてゆく。なお、この間の凸曲面１０１の後端１０１ｂと払出通路壁８０との間の距離はパチンコ球の直径よりも小さい。その後、図７（ｅ）に示すように、凸曲面１０１の後端１０１ｂと払出通路壁８０との間の距離がパチンコ球の直径と等しくなる、つまり、払出ロータ７９がパチンコ球を放出する位置まで回転してくると、その直後から凸曲面１０１の後端１０１ｂと払出通路壁８０との間の距離が大きな増大割合をもって急激に増大するようになるため（図８（Ａ）に示す本実施形態の払出ロータ７９の回転遷移図と図８（Ｂ）に示す従来の払出ロータ７９の回転遷移図とを比較参照されたい。）、パチンコ球は凸曲面１０１の後端１０１ｂから瞬時に離れ下方へ放出される。そして、図７（ｆ）に示すように、放出されたパチンコ球が計数センサ９３によって検出されると、払出モータ８６が停止し、払出ロータ７９は停止する。
【００３７】
このように、払出ロータ７９がパチンコ球を放出する位置まで回転してきたときから、払出通路７７の拡大割合、つまり、払出ロータ７９の回転に伴い拡大してゆく払出通路７７の拡大割合が従来と比べ増大しているため、払出ロータ７９がパチンコ球を放出する位置まで回転してきたときを境にしてパチンコ球は瞬時に放出され易くなり、略そのタイミングで個々のパチンコ球を確実に放出することが可能になる。したがって、計数センサ９３が放出された個々のパチンコ球を検出するタイミングは一定になり、その結果、払出ロータ７９の停止位置が安定し、球払出装置１５として安定した性能を発揮できるようになる。
【００３８】
払出ロータ７９は、凸曲面１０１と、凸曲面１０１の後端１０１ｂから延び、パチンコ球と略同一半径の凹円弧面からなる凹曲面１０２とを有しており、回転中心から凸曲面１０１の後端１０１ｂまでの距離を増大して構成される。このため、払出ロータ７９がパチンコ球を放出する位置まで回転してきたときから、払出ロータ７９の同一回転角度に対する凸曲面１０１の後端１０１ｂと払出通路壁８０との間の距離つまり払出通路幅の増大割合が従来と比べ大きくなり、略そのタイミングで個々のパチンコ球を確実に放出することが可能になる。したがって、計数センサ９３が放出された個々のパチンコ球を検出するタイミングは一定になり、その結果、払出ロータ７９の停止位置が安定し、球払出装置１５として安定した性能を発揮できるようになる。
【００３９】
図９は、第２実施形態に係る払出ロータ７９の一方の羽根８１周辺の構成図、図１０は、払出ロータ７９の動作を説明するための遷移図を示す。
【００４０】
図９及び図１０において、払出通路壁８０は、上流側において払出ロータ７９の回転中心Ｏを中心とする円弧面８０ａを形成するとともに、この円弧面８０ａの下流端から段差的に拡径した拡大面８０ｂを形成している。
【００４１】
羽根８１は、回転方向ａに２つの球作用面１００を有している。各球作用面１００は、従来の羽根と同様に構成されており、凸曲面１０１と凹曲面１０２とから構成される。凸曲面１０１は、羽根８１の回転方向ａにおける先端１０１ａから後端１０１ｂにかけて回転中心Ｏからの距離が連続的に徐々に減少してゆき、後端１０１ｂにおける回転中心Ｏからの距離は、払出通路壁８０の円弧面８０ａの半径からパチンコ球の直径を減算した値よりも僅かに大きくなるよう予め設定されている。凹曲面１０２は、凸曲面１０１の後端１０１ｂから連続的に滑らかに延び、パチンコ球と略同一半径の凹円弧面を構成している。
【００４２】
そして、図１０（ａ）に示すように、払出ロータ７９が停止状態のときは、凸曲面１０１の上に供給通路７２内の先頭のパチンコ球が乗っている状態、つまり、供給通路７２内のパチンコ球は待機状態となる。払出ロータ７９が回転を開始すると、図１０（ｂ），（ｃ）に示すように、羽根８１の回転に伴い先頭のパチンコ球が凸曲面１０１に乗った状態で下降してゆき、パチンコ球が通過不能であるが通路幅が徐々に増大してゆく払出通路７７内に誘導されてゆく。そして、図１０（ｄ）に示すように、パチンコ球が凹曲面１０２内に進入することによってパチンコ球が通過可能な払出通路７７が形成されるようになると、その後は、パチンコ球は凸曲面１０１の後端１０１ｂによって下方から支持されながら払出通路７７内を下方へ案内されてゆく。なお、この間の凸曲面１０１の後端１０１ｂと払出通路壁８０の円弧面８０ａとの間の距離はパチンコ球の直径よりも小さい。そして、図１０（ｅ）に示すように、パチンコ球が払出通路壁８０の円弧面８０ａの下流端と接触する位置まできたとき、払出通路壁８０の拡大面８０ｂにより通路幅が段差的に増大しパチンコ球の直径よりも十分に大きな払出通路７７が生成され、パチンコ球は、この払出通路７７により、排出通路９２へ瞬時に放出される。そして、図１０（ｆ）に示すように、放出されたパチンコ球が計数センサ９３によって検出されると、払出モータ８６が停止し、払出ロータ７９は停止する。
【００４３】
このように、払出ロータ７９がパチンコ球を放出する位置まで回転してきたとき、払出通路壁８０の形状に基づいて払出通路７７は段差的に拡大するようになるため、払出ロータ７９はそのタイミングで個々のパチンコ球を確実に放出することが可能になる。したがって、計数センサ９３が放出された個々のパチンコ球を検出するタイミングは一定になり、その結果、払出ロータ７９の停止位置が安定し、球払出装置１５として安定した性能を発揮できるようになる。
【００４４】
【発明の効果】
本発明の球払出装置によると、回転体が個々のパチンコ球を放出する位置が一定化し、計数センサの検出タイミングが一定になり、回転体の停止位置が安定化し、球払出装置として安定した性能を発揮できるようになる。
【図面の簡単な説明】
【図１】図２と共に全体として１つの分解斜視図を構成し、本発明の一実施形態に係るパチンコ遊技機の機構板及び機構板に組み付けられるケース類の分解斜視図である。
【図２】図１と共に全体として１つの分解斜視図を構成し、本発明の一実施形態に係るパチンコ遊技機の機構板及び機構板に組み付けられるケース類の分解斜視図である。
【図３】機構板にケース類及び基板が組み付けられた状態の裏面図である。
【図４】球払出装置のカウンタケースの内部構成を説明するための全体斜視図及び内蔵部品の分解斜視図である。
【図５】カウンタケースの分解斜視図である。
【図６】第１実施形態に係る払出ロータの一方の羽根周辺の構成図である。
【図７】払出ロータの動作を説明するための遷移図である。
【図８】第１実施形態の払出ロータの動作と従来の払出ロータの動作との相違を説明するための説明図である。
【図９】第２実施形態に係る払出ロータの一方の羽根周辺の構成図である。
【図１０】払出ロータの動作を説明するための遷移図である。
【図１１】従来の球払出装置の払出ロータの動作を説明するための遷移図である。
【符号の説明】
１５　　球払出装置
７２　　供給通路
７７　　払出通路
７９　　払出ロータ（回転体）
８０　　払出通路壁
９２　　排出通路
９３　　計数センサ
１０１　　凸曲面
１０２　　凹曲面
【図１】
2004081340.tif 000003
【図２】
2004081340.tif 000004
【図３】
2004081340.tif 000005
【図４】
2004081340.tif 000006
【図５】
2004081340.tif 000007
【図６】
2004081340.tif 000008
【図７】
2004081340.tif 000009
【図８】
2004081340.tif 000010
【図９】
2004081340.tif 000011
【図１０】
2004081340.tif 000012
【図１１】
2004081340.tif 000013